(57)【要約】【課題】照明源の交換作業やメンテナンス作業を簡単かつ短時間で行うことができ、また、透光性の照明カバーに切り欠き等の加工を行う必要がなくなり、この照明カバーの加工形状を簡素化することができる乗客コンベアを提供すること。【解決手段】乗客コンベアは、踏段３３の移動経路を形成する一対の対向するスカートガード１０と、一対の対向する欄干パネル１１とを備えている。デッキ１３は照明カバー１２および欄干パネル１１に対して着脱自在となっている。照明ケース本体１５の欄干パネル１１側の開口部を覆うよう照明ケース蓋部材１６が当該照明ケース本体１５に対して着脱自在に設けられている。照明源１７はこの照明ケース蓋部材１６に取り付けられている。【選択図】図１
2007191261.tif 000002
【特許請求の範囲】
【請求項１】
移動経路を形成する一対の対向するスカートガードと、
前記一対のスカートガード間の移動経路に設けられ、無端状に連結されて循環移動する複数の踏段と、
一対の対向する欄干パネルと、
前記スカートガードに一端が設けられた透光性の照明カバーと、
前記照明カバーの他端および前記欄干パネルに着脱自在に設けられたデッキと、
前記照明カバーに対して前記踏段と反対側に設けられ、踏段側および欄干パネル側に開口部を有する照明ケース本体と、
前記照明ケース本体の欄干パネル側の開口部を覆うよう、この照明ケース本体に対して着脱自在に設けられた照明ケース蓋部材と、
前記照明ケース本体内に収容されるよう前記照明ケース蓋部材に取り付けられた照明源と、
を備えたことを特徴とする乗客コンベア。
【請求項２】
溝を有する取付部材が前記照明カバーの他端に取り付けられ、
前記照明ケース蓋部材の端縁部および前記デッキの端縁部が前記取付部材の溝にそれぞれ挿入され、当該照明ケース蓋部材およびデッキが各々前記照明カバーに固定されることを特徴とする請求項１記載の乗客コンベア。
【請求項３】
前記照明ケース蓋部材は前記踏段に対して遠位側にある平板状の端縁部を有し、
当該照明ケース蓋部材の平板状の端縁部の表面および前記照明ケース本体の表面が当接するよう、この照明ケース蓋部材が照明ケース本体に取り付けられることを特徴とする請求項１または２記載の乗客コンベア。
【請求項４】
前記スカートガードと前記照明ケース本体との間には支持部材が配設され、
当該支持部材により前記スカートガードと前記照明ケース本体との間に形成された間隙に前記照明カバーの端縁部が挿入されながら、当該照明カバーおよび前記照明ケース本体が前記スカートガードに固定されることを特徴とする請求項１乃至３のいずれか一項に記載の乗客コンベア。
【請求項５】
前記照明カバーの端縁部は前記支持部材に当接するようになっていることを特徴とする請求項４記載の乗客コンベア。
【請求項６】
前記照明カバーの欄干パネル側の端縁部は長手方向において段差形状となっているとともに、前記取付部材は当該照明カバーの欄干パネル側の端縁部の段差形状と適合する段差形状となっていることを特徴とする請求項２記載の乗客コンベア。
【請求項７】
前記取付部材は、前記照明カバーの照明源側の側面と当接する突出部を更に有することを特徴とする請求項６記載の乗客コンベア。
【請求項８】
前記照明カバーにおける照明源側の表面と、前記デッキの踏段側の端縁部とが略同一面上に位置するよう当該照明カバーおよびデッキが配設されることを特徴とする請求項１乃至７のいずれか一項に記載の乗客コンベア。
【請求項９】
前記照明ケース本体の外部にある電源から前記照明源に電力を供給するための電線を更に備え、
前記照明ケース蓋部材は貫通開口を有し、
外部の電源に接続された前記電線は、前記照明ケース蓋部材における照明源とは反対側の表面に沿って配線されるとともに前記貫通開口を通って前記照明源に接続されることを特徴とする請求項１乃至８のいずれか一項に記載の乗客コンベア。
【発明の詳細な説明】
【技術分野】
【０００１】
本発明は、一対の対向する欄干パネル間の照射領域を照射する照射源を備えた乗客コンベアに関し、とりわけこの照明源の交換作業やメンテナンス作業を簡単かつ短時間で行うことができる乗客コンベアに関する。
【背景技術】
【０００２】
一般的な乗客コンベアの構成について、図６を用いて説明する。図６は、乗客コンベア全体の概略的な構成を示す概略構成図である。
図６に示すように、乗客コンベアは、電動機および減速機からなる駆動装置４０と、この駆動装置４０により回転駆動される駆動輪３１と、駆動輪３１に対向して設置される従動輪３２と、駆動輪３１および従動輪３２に巻き掛けられ、無端状に連結されて循環移動する複数の踏段３３と、各踏段３３を案内するガイドレール３４とを備えている。各踏段３３の循環移動領域の両側方にはスカートガード４１が設けられている。また、スカートガード４１の上方には欄干パネル３６が設けられており、各踏段３３と同期して循環移動する無端状の手摺ベルト３５がこの欄干パネル３６により支持されている。スカートガード４１には内デッキ３７および外デッキ３８が取り付けられており、欄干パネル３６の下端部分がこの内デッキ３７と外デッキ３８との間に挟まれることにより当該欄干パネル３６が立位状態で固定されている。乗客コンベアの欄干パネル３６、デッキ３７、３８、スカートガード４１等は本体フレーム３９によって支持されている。
【０００３】
従来の乗客コンベアにおいては、一対の対向する欄干パネル３６間の照射領域を照射する照明ランプ等の照明源は、一般的には欄干パネル３６の上部における手摺ベルト３５の近傍に取り付けられている（例えば特許文献１等参照）。しかしながら、近年ではデザイン性を向上させたり、足元の確認性を向上させてより一層の安全性を確保したりするために、各踏段３３の両側方にあるスカートガード４１に照明源を設ける場合がある。
スカートガード４１に照明源を設置する場合、まず照明源を照明ケースの底部または側面部にランプホルダーを介して取り付ける。そして、この照明源が取り付けられた照明ケースをスカートガード４１の外側面、すなわち踏段３３が設けられていない側の面に取り付けるとともに当該スカートガード４１に透光性の照明カバーを設け、照明源から発せられた光はこの照明カバーを通過して一対の欄干パネル３６間の照射領域に照射されるようにする（例えば、特許文献２、３等参照）。
【０００４】
図７を用いて従来の乗客コンベアの照明源について一例を用いてより詳細に説明する。図７は、従来の乗客コンベアの照明源の構成を説明するための説明用縦断面図である。
図７に示すように、スカートガード４１には、踏段３３と反対側に突出し断面がいわゆる「コの字」形状となっている照明ケース４２が設けられている。また、このスカートガード４１において照明ケース４２の近傍部分には透光性の照明カバー４３が設けられている。そして、照明ケース４２において透光性の照明カバー４３と対向する側面４２ａにはランプホルダー４４が取り付けられており、このランプホルダー４４がランプ４５を側方から保持するようになっている。
【０００５】
【特許文献１】特開平５−９７３７０号公報
【特許文献２】特開平１１−１９３１９３号公報
【特許文献３】特開２００２−８７７４９号公報
【発明の開示】
【発明が解決しようとする課題】
【０００６】
ところで、図７に示すように、一般的には欄干パネル３６を支持する支持部４６とスカートガード４１との間にあるスペースは非常に狭く、作業者がこのスペースに手を入れて作業を行うことは困難である。ここで、図７に示すような乗客コンベアにおいては、このスペースにランプ４５および照明ケース４２が挿入されている。このため、ランプ４５の取り付けや取り外し等の交換作業、あるいはメンテナンス作業を行う際には、スカートガード４１全体を取り外したり、あるいは特殊な工具を使用して照明カバー４３を取り外したりしなければならないという問題がある。
【０００７】
また、透光性の照明カバー４３をスカートガード４１に取り付けて固定するためには、当該照明カバー４３の周縁部に対して複数の切り欠き部を設け、この照明カバー４３の各切り欠き部の位置をスカートガード４１に設けられた各スタッドの位置に対応させる必要がある。このように、照明カバー４３に対して切り欠き加工を行わなければならないことにより、当該加工に要する手間が大幅に増え、製造コストが高くなってしまうという問題がある。
【０００８】
本発明は、このような点を考慮してなされたものであり、照明源の交換作業やメンテナンス作業を簡単かつ短時間で行うことができ、このことにより現場における作業効率を向上させることができ、また、透光性の照明カバーの加工形状を簡素化することができ、このことにより製造コストを下げることができるとともに当該照明カバーの強度を大きくすることができる乗客コンベアを提供することを目的とする。
【課題を解決するための手段】
【０００９】
本発明は、移動経路を形成する一対の対向するスカートガードと、前記一対のスカートガード間の移動経路に設けられ、無端状に連結されて循環移動する複数の踏段と、一対の対向する欄干パネルと、前記スカートガードに一端が設けられた透光性の照明カバーと、前記照明カバーの他端および前記欄干パネルに着脱自在に設けられたデッキと、前記照明カバーに対して前記踏段と反対側に設けられ、踏段側および欄干パネル側に開口部を有する照明ケース本体と、前記照明ケース本体の欄干パネル側の開口部を覆うよう、この照明ケース本体に対して着脱自在に設けられた照明ケース蓋部材と、前記照明ケース本体内に収容されるよう前記照明ケース蓋部材に取り付けられた照明源と、を備えたことを特徴とする乗客コンベアである。
このような乗客コンベアによれば、デッキは照明カバーおよび欄干パネルに対して着脱自在となっており、照明ケース本体の欄干パネル側の開口部を覆うよう照明ケース蓋部材が着脱自在に設けられており、照明源はこの照明ケース蓋部材に取り付けられている。このため、照明源の交換作業やメンテナンス作業を行う際には、まずデッキを取り外し、次に照明ケース蓋部材を照明ケース本体から取り外すだけで、この照明ケース蓋部材に取り付けられた照明源を照明ケース本体から取り外すことができ、このため照明ケース蓋部材からの照明源の取り外し等を外部の広い作業スペースで行うことができるようになるので、当該照明源の交換作業やメンテナンス作業を簡単かつ短時間で行うことができる。また、この際に透光性の照明カバーの着脱を行う必要がないので、この照明カバーに切り欠き等の加工を行う必要がなくなり、当該照明カバーの加工形状を簡素化することができる。
【００１０】
本発明の乗客コンベアにおいては、溝を有する取付部材が前記照明カバーの他端に取り付けられ、前記照明ケース蓋部材の端縁部および前記デッキの端縁部が前記取付部材の溝にそれぞれ挿入され、当該照明ケース蓋部材およびデッキが各々前記照明カバーに固定されることが好ましい。
このような乗客コンベアによれば、照明ケース蓋部材およびデッキはそれぞれ端縁部を取付部材の溝に挿入することによりこれらの照明ケース蓋部材およびデッキの照明カバーに対する取り付けを行っているので、当該照明ケース蓋部材およびデッキの着脱を容易に行うことができる。
【００１１】
本発明の乗客コンベアにおいては、前記照明ケース蓋部材は前記踏段に対して遠位側にある平板状の端縁部を有し、当該照明ケース蓋部材の平板状の端縁部の表面および前記照明ケース本体の表面が当接するよう、この照明ケース蓋部材が照明ケース本体に取り付けられることが好ましい。
このような乗客コンベアによれば、照明ケース蓋部材の平板状の端縁部の表面を照明ケース本体の表面に当接させながらこの照明ケース蓋部材の照明ケース本体に対する取り付けを行っているので、照明ケース蓋部材の着脱を容易に行うことができる。
【００１２】
本発明の乗客コンベアにおいては、前記スカートガードと前記照明ケース本体との間には支持部材が配設され、当該支持部材により前記スカートガードと前記照明ケース本体との間に形成された間隙に前記照明カバーの端縁部が挿入されながら、当該照明カバーおよび前記照明ケース本体が前記スカートガードに固定されることが好ましい。
このような乗客コンベアによれば、照明カバーの端縁部がスカートガードと照明ケース本体との間に挟まれることにより当該照明カバーが固定されるので、照明カバーのスカートガードへの取り付け作業を簡単かつ安定的に行うことができる。また、照明カバーにおけるスカートガードの近傍部分に切り欠き等の特殊な加工を行う必要がなくなる。
また、この乗客コンベアにおいては、前記照明カバーの端縁部は前記支持部材に当接するようになっていることがさらに好ましい。
このような乗客コンベアによれば、スカートガードと照明ケース本体との間に配設された支持部材によって照明カバーの位置決めを容易に行うことができる。
【００１３】
本発明の乗客コンベアにおいては、前記照明カバーの欄干パネル側の端縁部は長手方向において段差形状となっているとともに、前記取付部材は当該照明カバーの欄干パネル側の端縁部の段差形状と適合する段差形状となっていることが好ましい。
このような乗客コンベアによれば、取付部材によって照明カバーの位置決めを容易に行うことができる。
【００１４】
本発明の乗客コンベアにおいては、前記取付部材は、前記照明カバーの照明源側の側面と当接する突出部を更に有することが好ましい。
このような乗客コンベアによれば、取付部材の突出部が照明カバーの照明源側の側面と当接することにより、照明カバーに踏段側から横方向に作用される力に対して当該照明カバーの板厚全体でこの力を受けることができ、このことにより照明カバーの強度をより大きくすることができる。
【００１５】
本発明の乗客コンベアにおいては、前記照明カバーにおける照明源側の表面と、前記デッキの踏段側の端縁部とが略同一面上に位置するよう当該照明カバーおよびデッキが配設されることが好ましい。
このような乗客コンベアによれば、照明カバーからデッキの踏段側の端縁部が略同一面上で延伸するようになるので、当該照明カバーを安定的にデッキの下方に設けることができる。
【００１６】
本発明の乗客コンベアにおいては、前記照明ケース本体の外部にある電源から前記照明源に電力を供給するための電線を更に備え、前記照明ケース蓋部材は貫通開口を有し、外部の電源に接続された前記電線は、前記照明ケース蓋部材における照明源とは反対側の表面に沿って配線されるとともに前記貫通開口を通って前記照明源に接続されることが好ましい。
このような乗客コンベアによれば、照明源の交換作業等を行う際にこの照明源が取り付けられた照明ケース蓋部材を照明ケース本体から取り外す場合であっても、照明源に電力を供給するための電線は照明ケース蓋部材の表面に沿って配設されて貫通開口により当該照明源に接続されているため、この電線が照明ケース蓋部材の取り外し工程や取り付け工程において邪魔となることはない。このため、照明ケース蓋部材の取り外しおよび取り付けをより簡単に行うことができる。
【発明の効果】
【００１７】
本発明の乗客コンベアによれば、照明源の交換作業やメンテナンス作業を簡単かつ短時間で行うことができ、また、透光性の照明カバーに切り欠き等の加工を行う必要がなくなり、この照明カバーの加工形状を簡素化することができる。
【発明を実施するための最良の形態】
【００１８】
以下、図面を参照して本発明の実施の形態について説明する。図１乃至図５は、本実施の形態による乗客コンベアを示す図である。
このうち図１は、本実施の形態の乗客コンベアの構成を示す縦断面図であり、図２は、図１の乗客コンベアにおける照明源近傍の構成を示す拡大縦断面図である。また、図３は、図２の乗客コンベアにおける領域Ａの拡大縦断面図であり、図４は、図２の乗客コンベアにおける領域Ｂの拡大縦断面図である。また、図５は、本実施の形態の乗客コンベアにおける照明源近傍の構成を示す斜視図である。
【００１９】
本実施の形態による乗客コンベアは、図６、７に示す乗客コンベアと比較して照明源近傍の構成が改善されている点が異なるのみであり、他の構成については実質的に図６に示す乗客コンベアと同様の構成となっている。図１乃至図５に示す本実施の形態において、図６に示す乗客コンベアと同一部分には同一符号を付して詳細な説明は省略する。
【００２０】
本実施の形態の乗客コンベアは、移動経路を形成する一対の対向するスカートガード１０と、これらのスカートガード１０間の移動経路に設けられ、無端状に連結されて循環移動する複数の踏段３３とを備えている。また、図１に示すように、スカートガード１０の上方には欄干パネル１１が立位状態で配設されている。スカートガード１０の上端には透光性の照明カバー１２が設けられており、この照明カバー１２の上端には内デッキ１３が着脱自在に設けられている。内デッキ１３の外方（踏段３３が設けられていない側、すなわち図１における左方）には外デッキ１４が設けられており、この内デッキ１３と外デッキ１４との間には欄干パネル１１の下端部分が挟まれて保持されている。内デッキ１３は欄干パネル１１に対しても着脱自在となっている。
内デッキ１３の下方において照明カバー１２の外方（図１の左方）には照明ケース本体１５が設けられている。この照明ケース本体１５は上方および内方（踏段３３が設けられている側、すなわち図１における右方）に開口しており、照明ケース蓋部材１６が照明ケース本体１５の上方の開口部を覆うよう設けられている。そして、この照明ケース蓋部材１６の下面には照明源保持部材１８を介して照明源１７が取り付けられている。
以下、このような構成からなる乗客コンベアの各構成要素について詳述する。
【００２１】
スカートガード１０は、薄板状の部材からなり、前述のように踏段３３の循環移動領域の両側方にそれぞれ立位状態で設けられている。スカートガード１０は、図１に示すように踏段３３からわずかに離間するようスカートガード保持部材２４により保持されて位置固定となっている。
【００２２】
照明カバー１２は、ガラス等の透光性の部材から形成されており、スカートガード１０の上方において立位状態で設けられている。この照明カバー１２の踏段３３側の表面とスカートガード１０の踏段３３側の表面は、略同一面上に位置するようになっている。図２に示すように、照明カバー１２の下方の端縁部は、当該照明カバー１２の長手方向（図２の上下方向）において２段階の段差形状となっており、この照明カバー１２の上方の端縁部も、当該照明カバー１２の長手方向において２段階の段差形状となっている。すなわち、照明カバー１２の下方の端縁部において、踏段３３に対する遠位側の一部１２ａが更に下方に突出しており、一方、照明カバー１２の上方の端縁部において、踏段３３側の一部１２ｂが更に上方に突出している。
【００２３】
欄干パネル１１は、例えば薄板状のガラス等から形成されており、スカートガード１０の上方に離間して立位状態で配設されている。欄干パネル１１は、その下端部分が欄干パネル保持部材２２により保持されることにより位置固定となっている。欄干パネル保持部材２２の下方には本体フレーム３９が設けられており、この本体フレーム３９に欄干パネル保持部材２２が取り付けられている。
【００２４】
内デッキ１３、外デッキ１４はそれぞれ薄板状の部材からなり、内デッキ１３は欄干パネル１１よりも内方（踏段３３側）に設けられている。一方、外デッキ１４は欄干パネル１１よりも外方（踏段３３に対する遠位側）に設けられている。図１に示すように、内デッキ１３および外デッキ１４により欄干パネル１１を挟持してこの欄干パネル１１を保持するようになっている。
内デッキ１３はその踏段３３側の一端１３ａが取付部材２０（後述）を介して照明カバー１２に対して着脱自在となっている。また、内デッキ１３の他端１３ｂはボルト１３ｃにより欄干パネル１１に連結されており、このことにより欄干パネル１１に対して着脱自在となっている。内デッキ１３の一端１３ａおよび他端１３ｂをそれぞれ脱状態とした場合には、当該内デッキ１３を取り外すことができるようになる。一方、外デッキ１４はその踏段３３側の一端が欄干パネル１１に対して固定されている。
【００２５】
ここで、内デッキ１３の踏段３３側の端縁部１３ａと、照明カバー１２における照明源１７側の表面とが略同一面上に位置するよう照明カバー１２と内デッキ１３との位置関係が定められている。このことにより、照明カバー１２を安定的に内デッキ１３の下方に設けることができる。
【００２６】
照明ケース本体１５は、薄板状の部材からなり、内デッキ１３の下方において照明カバー１２の外方の位置に配設されている。この照明ケース本体１５は、上方および踏段３３側に開口しており、断面がいわゆるＬ字形状となっている。図２に示すように、照明ケース本体１５は踏段３３側の一端１５ａが上方に折れ曲がっており、この一端１５ａが後述する支持部材２１（挟圧用サポート）を介してスカートガード１０に取り付けられている。
【００２７】
照明ケース蓋部材１６は、薄板状の部材からなり、照明ケース本体１５の上方の開口部を覆うよう設けられている。この照明ケース蓋部材１６の下面には例えばランプホルダーからなる照明源保持部材１８が取り付けられており、当該照明源保持部材１８により例えばランプからなる照明源１７が保持されている。照明源１７から発せられた光は、透光性の照明カバー１２を通過して一対の欄干パネル１１間の照射領域を照らすようになっている。
【００２８】
照明ケース蓋部材１６の長さピッチ（図１の紙面に対して垂直な方向における長さ）は、照明源１７の長さピッチとほぼ同じ大きさとなっており、この照明ケース蓋部材１６の継目も照明源１７の継目に合わせられている。なお、照明ケース蓋部材１６の継目部分については、照明源１７からの光漏れを防ぐため、図１の紙面に対して垂直な方向において隣接する他の照明ケース蓋部材１６を少しだけ重層させている。
【００２９】
図２に示すように、照明ケース蓋部材１６は、その踏段３３側の端縁部１６ａが一旦上方に折れ曲がってから先端近傍において下方に折れ曲がっている。また、照明ケース蓋部材１６における踏段３３に対する遠位側の端縁部１６ｂは上方に折れ曲がった構造となっている。そして、図２に示すように、照明ケース蓋部材１６における平板状の端縁部１６ｂの表面と照明ケース本体１５の表面とを当接させ、ボルト１９により照明ケース蓋部材１６を照明ケース本体１５に連結させている。
【００３０】
照明カバー１２の上端には取付部材２０が取り付けられている。図３に示すように、この取付部材２０の上面には溝２０ａが設けられており、当該溝２０ａには照明ケース蓋部材１６の踏段３３側の端縁部１６ａおよび内デッキ１３の踏段３３側の端縁部１３ａが挿入可能となっている。照明ケース蓋部材１６の端縁部１６ａおよび内デッキ１３の端縁部１３ａが取付部材２０の上面側にある溝２０ａに挿入されることにより、この取付部材２０に照明ケース蓋部材１６および内デッキ１３が固定されるようになっている。
図３に示すように、取付部材２０の下方の端縁部は長手方向（上下方向）において段差形状となっている。ここで、取付部材２０の下方の端縁部に係る段差形状は、前述の照明カバー１２の上方の端縁部に係る段差形状と適合するようになっている。具体的には、図３に示すように、取付部材２０の下面２０ｂは照明カバー１２の上面に当接するようになっており、さらに取付部材２０の下面側にある溝２０ｃに照明カバー１２の突出部１２ｂが挿入されるようになっている。
照明カバー１２の欄干パネル１１側の端縁部が長手方向において段差形状となっているとともに、取付部材２０はこの段差形状と適合する段差形状となっているので、当該取付部材２０によって照明カバー１２の位置決めを容易に行うことができる。
【００３１】
また、取付部材２０は、下方の端縁部において下面２０ｂからさらに下方に突出する突出部２０ｄを有している。そして、この突出部２０ｄが照明カバー１２の照明源１７側の側面と当接するようになっている。このような突出部２０ｄが設けられていることにより、照明カバー１２に踏段３３側から横方向に作用される力に対して当該照明カバー１２の板厚全体でこの力を受けることができ、このことにより照明カバー１２の強度をより大きくすることができる。
【００３２】
図４に示すように、照明ケース本体１５の一端１５ａとスカートガード１０との間には支持部材（挟圧用サポート）２１が配設されている。この支持部材２１は、薄板状の部材からなり、図２に示すように中央で折れ曲がって二層に積層された状態で設けられている。この支持部材２１はスカートガード１０に取り付けられている。また、この支持部材２１における照明源１７側の側面には、照明ケース本体１５の一端１５ａがスタッドボルト２５およびナット２６により固定されている。また、この支持部材２１によりスカートガード１０と照明ケース本体１５との間に形成された間隙に、照明カバー１２の下方の突出部１２ａが挿入されている。このようにして、照明カバー１２および照明ケース本体１５がスカートガード１０に固定されている。
このような支持部材２１を設けることによって、照明カバー１２のスカートガード１０への取り付け作業を簡単かつ安定的に行うことができるようになる。また、照明カバー１２は挟持されることにより位置固定されるので、この照明カバー１２におけるスカートガード１０の近傍部分に切り欠き等の特殊な加工を行う必要がなくなる。
【００３３】
ここで、図４に示すように、照明カバー１２の端縁部１２ａは支持部材２１における踏段３３側の層の上面と当接している。このことにより、支持部材２１によって照明カバー１２の位置決めを容易に行うことができる。
【００３４】
図５に示すように、照明ケース本体１５の外部にある電源（図示せず）から照明源１７へ電力を供給するための電線２７が設けられている。
具体的に説明すると、照明ケース蓋部材１６には、照明源１７の端部近傍において電線２７を通過させるための貫通孔１６ｈが設けられている。外部の電源に接続された電線２７は、まず照明ケース蓋部材１６の上面（すなわち、照明源１７とは反対側の表面）に沿って配線され、次に貫通孔１６ｈを通過して照明ケース蓋部材１６の下方に延び、そして照明源１７の端部に接続されるようになっている。
【００３５】
図５に示すような構成により、照明源１７の交換作業等を行う際にこの照明源１７が取り付けられた照明ケース蓋部材１６を照明ケース本体１５から取り外す場合であっても、前述のように電線２７は照明ケース蓋部材１６の表面に沿って配設されて貫通孔１６ｈにより照明源１７に接続されているため、この電線２７が照明ケース蓋部材１６の取り外し工程や取り付け工程において邪魔となることはない。このため、照明ケース蓋部材１６の取り外しおよび取り付けを簡単に行うことができるようになる。
【００３６】
次に、このような構成からなる本実施の形態の作用について説明する。
具体的には、照明源１７の交換作業やメンテナンス作業を行う際における、この照明源１７の取り外し方法および取り付け方法について説明する。
【００３７】
最初に、図１に示すように照明源１７がスカートガード１０の近傍に設置された状態からこの照明源１７を取り外す方法について以下に説明する。
まず、内デッキ１３の一端１３ａを取付部材２０の溝２０ａから引き抜き、さらに内デッキ１３の他端１３ｂに設けられたボルト１３ｃの取り外しを行うことによりこの他端１３ｂを欄干パネル１１から取り外す。このようにして、内デッキ１３を照明カバー１２および欄干パネル１１から取り外す。
【００３８】
次に、照明ケース蓋部材１６の端縁部１６ａを取付部材２０の溝２０ａから引き抜き、さらにこの照明ケース蓋部材１６を照明ケース本体１５に固定しているボルト１９の取り外しを行う。このようにして、照明源１７が取り付けられた照明ケース蓋部材１６を照明カバー１２および照明ケース本体１５から取り外す。
そして、この取り外された照明ケース蓋部材１６を外部の広い作業スペースに運び、この照明ケース蓋部材１６に設けられた照明源保持部材１８から照明源１７を取り外す。このようにして照明源１７の交換作業等を行うことができる。
【００３９】
次に、以上のようにして照明ケース蓋部材１６から照明源１７の取り外し等を行った後、再び照明源１７をスカートガード１０の近傍に設置された状態に戻す方法について以下に説明する。
【００４０】
まず、照明源１７を照明ケース蓋部材１６の照明源保持部材１８に取り付け、次に、この照明ケース蓋部材１６の端縁部１６ａを取付部材２０の溝２０ａに挿入する。一方、照明ケース蓋部材１６の平板状の端縁部１６ｂを照明ケース本体１５の内方側面（踏段３３側の側面）に当接させ、ボルト１９によりこの照明ケース蓋部材１６を照明ケース本体１５に固定する。このようにして、照明ケース蓋部材１６を照明カバー１２および照明ケース本体１５に取り付ける。
【００４１】
最後に、内デッキ１３の一端１３ａを取付部材２０の溝２０ａに挿入し、また、この内デッキ１３の他端１３ｂをボルト１３ｃにより欄干パネル１１に固定する。このようにして、内デッキ１３を照明カバー１２および欄干パネル１１に取り付ける。
このようにして、照明源１７をスカートガード１０の近傍に設置された状態に戻すことができる。
【００４２】
以上のように本実施の形態の乗客コンベアによれば、内デッキ１３が照明カバー１２および欄干パネル１１に対して着脱自在となっており、照明ケース本体１５の欄干パネル１１側の開口部を覆うよう照明ケース蓋部材１６が着脱自在に設けられており、照明源１７はこの照明ケース蓋部材１６に取り付けられている。このため、照明源１７の交換作業やメンテナンス作業を行う際には、まず内デッキ１３を取り外し、次に照明ケース蓋部材１６を照明ケース本体１５から取り外すだけで、この照明ケース蓋部材１６に取り付けられた照明源１７を照明ケース本体１５から取り外すことができ、このため照明ケース蓋部材１６からの照明源１７の取り外し等を外部の広い作業スペースで行うことができるようになるので、当該照明源１７の交換作業やメンテナンス作業を簡単かつ短時間で行うことができる。また、この際に透光性の照明カバー１２の着脱を行う必要がないので、この照明カバー１２に切り欠き等の加工を行う必要がなくなり、当該照明カバー１２の加工形状を簡素化することができる。
【００４３】
また、照明ケース蓋部材１６および内デッキ１３はそれぞれ端縁部１６ａ、１３ａを取付部材２０の溝２０ａに挿入することによりこれらの照明ケース蓋部材１６および内デッキ１３の照明カバー１２に対する取り付けを行っているので、照明ケース蓋部材１６および内デッキ１３の着脱を容易に行うことができる。
【００４４】
また、照明ケース蓋部材１６の平板状の端縁部１６ｂの表面を照明ケース本体１５の表面に当接させながらこの照明ケース蓋部材１６の照明ケース本体１５に対する取り付けを行っているので、当該照明ケース蓋部材１６の着脱を容易に行うことができる。
【００４５】
なお、本発明による乗客コンベアは、上記の態様に限定されるものではなく、様々の変更を加えることができる。
【図面の簡単な説明】
【００４６】
【図１】本実施の形態の乗客コンベアの構成を示す縦断面図である。
【図２】図１の乗客コンベアにおける照明源近傍の詳細な構成を示す拡大縦断面図である。
【図３】図２の乗客コンベアにおける領域Ａの拡大縦断面図である。
【図４】図２の乗客コンベアにおける領域Ｂの拡大縦断面図である。
【図５】本実施の形態の乗客コンベアにおける照明源近傍の詳細な構成を示す斜視図である。
【図６】乗客コンベア全体の概略的な構成を示す概略構成図である。
【図７】従来の乗客コンベアの照明源の構成を説明するための説明用縦断面図である。
【符号の説明】
【００４７】
１０    スカートガード
１１    欄干パネル
１２    照明カバー
１２ａ  端縁部
１２ｂ  端縁部
１３    内デッキ
１３ａ  端縁部（一端）
１３ｂ  端縁部（他端）
１３ｃ  ボルト
１４    外デッキ
１５    照明ケース本体
１５ａ  一端
１６    照明ケース蓋部材
１６ａ  端縁部
１６ｂ  端縁部
１６ｈ  貫通孔
１７    照明源
１８    照明源保持部材
１９    ボルト
２０    取付部材
２０ａ  溝
２０ｂ  下面
２０ｃ  溝
２０ｄ  突出部
２１    支持部材
２２    欄干パネル保持部材
２４    スカートガード保持部材
２５    スタッドボルト
２６    ナット
２７    電線
３１    駆動輪
３２    従動輪
３３    踏段
３４    ガイドレール
３５    手摺ベルト
３６    欄干パネル
３７    内デッキ
３８    外デッキ
３９    本体フレーム
４０    駆動装置
４１    スカートガード
４２    照明ケース
４２ａ  側面
４３    照明カバー
４４    ランプホルダー
４５    ランプ
４６    支持部
【図１】
2007191261.tif 000003
【図２】
2007191261.tif 000004
【図３】
2007191261.tif 000005
【図４】
2007191261.tif 000006
【図５】
2007191261.tif 000007
【図６】
2007191261.tif 000008
【図７】
2007191261.tif 000009